(57)【要約】【課題】機器自体の小型化、薄型化を実現し、かつ操作性を向上させた携帯型電子機器を提供する。【解決手段】デジタルカメラは、電源スイッチ１、レンズ２、光学ファインダー３、シャッターボタン４、補助光発光部５、記録メディア挿入部６、画像モニタ７、タッチパッド８、９を含んで構成される。タッチパッド８、９は、画像モニタ７に表示された項目及び被選択候補の選択及び入力、画像モニタ７に表示された画像の表示内容の操作、及び画像撮影時の撮影倍率の制御を行うタッチ入力部の一部を形成する。これらの入力操作に際しては、タッチパッド８、９の接触位置信号だけでなく、接触した状態での移動操作も利用される。【選択図】図１
2008236765.tif 000002
【特許請求の範囲】
【請求項１】
表示装置を有する携帯型電子機器であって、
線状かつ連続的に配置したタッチ検出センサを含むタッチ入力部を、前記表示装置の周辺に設け、
前記タッチ入力部が検出したタッチ位置及びタッチ状態での移動に応じて前記携帯型電子機器の制御操作又は前記表示装置に表示された項目に基づく入力操作が行われるものであり、
前記表示装置は、略矩形形状であり、
前記タッチ検出センサは、略Ｌ字状であって、前記表示装置の略直交する２辺に略平行に設けられ、
前記タッチ入力部は、前記Ｌ字の角部へのタッチ後に有効状態となる携帯型電子機器。
【請求項２】
請求項１記載の携帯型電子機器であって、
前記入力操作は、前記タッチ位置に対応する項目の被選択候補が表示された後の、タッチ状態での移動位置によって行われる携帯型電子機器。
【請求項３】
請求項１又は２記載の携帯型電子機器であって、
前記タッチ入力部のタッチ状態での移動に応じた前記携帯型電子機器の制御操作は、前記表示装置に表示される画像の表示倍率の変更操作を含む携帯型電子機器。
【請求項４】
請求項１ないし３のいずれか1項記載の携帯型電子機器であって、
前記タッチ入力部のタッチ状態での移動に応じた前記携帯型電子機器の制御操作は、前記表示装置に表示される画像の表示領域の変更操作を含む携帯型電子機器。
【請求項５】
請求項１ないし４のいずれか1項記載の携帯型電子機器であって、
前記タッチ入力部のタッチ状態での移動に応じた前記携帯型電子機器の制御操作は、前記表示装置に表示される画像の連続的なコマ送り操作を含む携帯型電子機器。
【請求項６】
請求項１ないし５のいずれか1項記載の携帯型電子機器であって、
前記携帯型電子機器は、デジタルカメラである携帯型電子機器。
【請求項７】
請求項６記載の携帯型電子機器であって、
前記タッチ入力部のタッチ状態での移動に応じた前記携帯型電子機器の制御操作は、撮影倍率の変更操作を含む携帯型電子機器。
【請求項８】
請求項１ないし７のいずれか1項記載の携帯型電子機器であって、
前記タッチ検出センサは、タッチパッドで構成される携帯型電子機器。
【請求項９】
請求項１ないし７のいずれか1項記載の携帯型電子機器であって、
前記タッチ検出センサは、接点式スイッチで構成される携帯型電子機器。
【請求項１０】
請求項９記載の携帯型電子機器であって、
前記接点式スイッチは、メンブレンスイッチである携帯型電子機器。
【発明の詳細な説明】
【技術分野】
【０００１】
本発明は、表示装置を有する携帯型電子機器に関し、特に、操作入力部の構成を改良した携帯型電子機器に関する。
【背景技術】
【０００２】
デジタルカメラ等の携帯型電子機器は、多機能化に伴い、多くの操作部材を必要とするようになっている。一方、機器自体の小型化、薄型化、及び表示部の大画面化の要求も大きく、多くの操作部材を配置することが困難になりつつある。そのため、表示部の表示画面上に配置されたタッチパネルを利用することにより、操作部を減少させたものが提案されているが、表示画面に直接指が触れるため、画面が汚れてしまうという欠点があった。
【０００３】
また、線状かつ連続的に配置したタッチ検出センサを含むタッチ入力部を、表示部の周辺に配置したものも提案されている（特開平１１−１９４８７２号公報、特開平１１−１９５３５３号公報参照）が、タッチ入力部による操作は、表示項目の選択に留まり、操作性は必ずしもよくなかった。
【発明の開示】
【発明が解決しようとする課題】
【０００４】
本発明は、上記事情に鑑み、機器自体の小型化、薄型化を実現し、かつ操作性を向上させた携帯型電子機器を提供することを目的とする。
【課題を解決するための手段】
【０００５】
本発明の携帯型電子機器は、表示装置を有する携帯型電子機器であって、線状かつ連続的に配置したタッチ検出センサを含むタッチ入力部を、前記表示装置の周辺に設け、前記タッチ入力部が検出したタッチ位置及びタッチ状態での移動に応じて前記携帯型電子機器の制御操作又は前記表示装置に表示された項目に基づく入力操作が行われるものであり、前記表示装置は、略矩形形状であり、前記タッチ検出センサは、略Ｌ字状であって、前記表示装置の略直交する２辺に略平行に設けられ、前記タッチ入力部は、前記Ｌ字の角部へのタッチ後に有効状態となるものである。
【０００６】
本発明の携帯型電子機器における前記入力操作は、前記タッチ位置に対応する項目の被選択候補が表示された後の、タッチ状態での移動位置によって行われるものである。
【０００７】
本発明の携帯型電子機器における前記タッチ入力部のタッチ状態での移動に応じた前記携帯型電子機器の制御操作は、前記表示装置に表示される画像の表示倍率の変更操作を含むものである。
【０００８】
本発明の携帯型電子機器における前記タッチ入力部のタッチ状態での移動に応じた前記携帯型電子機器の制御操作は、前記表示装置に表示される画像の表示領域の変更操作を含むものである。
【０００９】
本発明の携帯型電子機器における前記タッチ入力部のタッチ状態での移動に応じた前記携帯型電子機器の制御操作は、前記表示装置に表示される画像の連続的なコマ送り操作を含むものである。
【００１０】
本発明の携帯型電子機器は、デジタルカメラであり、前記タッチ入力部のタッチ状態での移動に応じた前記携帯型電子機器の制御操作は、撮影倍率の変更操作を含むものである。
【００１１】
本発明の携帯型電子機器における前記タッチ検出センサは、タッチパッドで構成されるものである。
【００１２】
本発明の携帯型電子機器における前記タッチ検出センサは、接点式スイッチで構成されるものである。
【００１３】
本発明の携帯型電子機器における前記接点式スイッチは、メンブレンスイッチで構成されるものである。
【発明の効果】
【００１４】
以上の説明から明らかなように、本発明によれば、機器自体の小型化、薄型化を実現し、かつ操作性を向上させた携帯型電子機器を提供することができる。
【発明を実施するための最良の形態】
【００１５】
以下、本発明の実施の形態について、携帯型電子機器としてデジタルカメラを例に図面を用いて説明する。
【００１６】
（第１の実施の形態）
第１の実施の形態を図１から図７を用いて説明する。図１は、第１の実施の形態のデジタルカメラの斜視図であり、（ａ）はその正面を、（ｂ）はその背面を示したものである。図１のデジタルカメラは、電源スイッチ１、レンズ２、光学ファインダー３、シャッターボタン４、補助光発光部５、記録メディア挿入部６、画像モニタ７、タッチパッド８、９を含んで構成される。
【００１７】
図１のデジタルカメラにおいて、電源スイッチ１は、デジタルカメラの撮影モード／再生モードの切替えスイッチを兼用している。また、補助光発光部５は、低照度時に補助光を発光するもので、ストロボ、ＬＥＤ等が利用される。
【００１８】
タッチパッド８、９は、操作者の指等の接触を検出するタッチ検出センサであり、タッチパッド８は、画像モニタ７のＨ方向（水平方向）に略平行に設けられ、Ｈ方向の接触位置信号を出力するものであり、タッチパッド９は、画像モニタ７のＶ方向（垂直方向）に略平行に設けられ、Ｖ方向の接触位置信号を出力するものである。すなわち、タッチパッド８、９は、一次元（線状）の接触位置をほぼ連続に検出するものである。したがって、タッチパッド８、９の幅は、指の接触を確実に検出できる大きさで充分である。
【００１９】
タッチパッド８、９は、画像モニタ７に表示された項目及び被選択候補の選択及び入力を行うタッチ入力部の一部を形成する。また、タッチパッド８、９は、画像モニタ７に表示された画像の表示内容の操作を行うタッチ入力部の一部を形成する。さらに、画像撮影時の撮影倍率の制御を行うタッチ入力部の一部を形成する。これらの入力操作に際しては、タッチパッド８、９の接触位置信号だけでなく、接触した状態での移動操作も利用される。
【００２０】
図２は、図１のデジタルカメラの概略ブロック構成図である。デジタルカメラは、レンズ２、シャッター・絞り２１、撮像デバイス２２、補助光発光部５、及び駆動回路２３を含む撮像部、アナログ信号処理部２４、Ａ／Ｄ変換部２５、デジタル信号処理部２６、出力用メモリ２７、及び圧縮伸張処理部２８を含む信号処理部、メディアインタフェース３２及び画像モニタ８を含む出力部、操作スイッチ３０、シャッタースイッチ３１、及びタッチパッド８、９を含む操作部、並びにデジタルカメラ全体を制御するＣＰＵ２９を含んで構成される。
【００２１】
撮像部、及び信号処理部の構成は、従来のデジタルカメラと同じであるので簡単に説明する。レンズ２とシャッター・絞り２１を通った光は、ＣＣＤ等の撮像デバイス２２の上に焦点を結び、撮影画像信号が取得される。ここでシャッターは撮像デバイス２２から信号を読み出すときのスミア発生を防ぐものである。撮像デバイス２２は、シャッタースイッチ３１のオン操作を契機として、所定のタイミングで駆動回路２３によって駆動され、画像信号を出力する。駆動回路２３は、撮像デバイス２２の駆動電圧条件によっては省略も可能である。
【００２２】
画像信号は、アナログ信号処理された後、Ａ／Ｄ変換され、デジタル信号処理を経て出力用メモリ２７に一時的に記録される。ここで、画像モニタ８に表示する場合は、出力用メモリ２７の内容を読み出して画像モニタ８に送る。出力用メモリ２７の撮影画像は、圧縮伸張処理部２８で圧縮処理され、メディアインタフェース３２を経て、図示しないメモリカード等の記録メディアに記録される。撮影モードによっては圧縮処理を省略することもできる。
【００２３】
記録メディアに記録された画像を画像モニタ８に表示させる場合は、記録メディアから読取った画像情報を圧縮伸張処理部２８で伸張処理して出力用メモリ２７に書込み、画像モニタ８に送る。
【００２４】
これらの動作は、電源スイッチ１を含む操作スイッチ３０、シャッターボタン４によって操作されるシャッタースイッチ３１、及びタッチパッド８、９の位置検出信号に応じて、ＣＰＵ２３の制御のもとに行われる。ＣＰＵ２３は、タッチパッド８、９の位置検出信号の変化によって、指を接触させた状態での移動を判断する。
【００２５】
次に、タッチパッド８、９を利用した設定操作について、図３のフローを用いて説明する。撮影時には、撮影動作モードの設定が可能であり、電源スイッチ１を操作して撮影モードに設定すると、図４に示されるような、明るさ設定メニューマーク３４を含む複数の項目メニューマーク３３〜３６が表示される。この状態でメニューマーク３４の下部のタッチパッド８に指を接触させる（ステップ３０１）と、図５に示すような画面となり、項目メニューマーク３４に対応する項目の被選択候補３７が表示される（ステップ３０２）。この状態で、タッチパッド上の指を接触させた（ステップ３０３）まま、ゆびを＋Ｈ方向又は−Ｈ方向に移動させると、被選択候補の内の１つが選択される（ステップ３０４）。そして、この状態で、指をタッチパッド８から離す（ステップ３０５）と、選択されていた被選択候補が設定される（ステップ３０６）。
【００２６】
タッチパッド８と９の両方を用いる場合、タッチパッド８によって、所定の項目を選択して被選択候補を表示させ、タッチパッド９に接触させて被選択候補の内の１つを選択することも可能である。
【００２７】
続いて、タッチパッド８、９によるデジタルカメラの制御操作について説明する。制御操作の１つの例は、撮影時の撮影倍率の変更操作である。撮影倍率の変更操作は、タッチパッド９に指を接触させた状態で移動させることにより行われる。すなわち、撮影時、指をタッチパッド９に接触させた状態で、＋Ｖ方向に移動させるとズームイン操作となり、−Ｖ方向に移動させるとズームアウト操作となる。
【００２８】
制御操作の他の例は、画像モニタ７に表示される再生画像の変更操作である。図６に、複数の撮影画像を連続的にコマ送りするときの画像モニタ７の表示例を示す。図６（ａ）は、水平方向へコマ送りする例であり、図６（ｂ）は、垂直方向へコマ送りする例である。水平方向のコマ送りは、指をタッチパッド８に接触させた状態で＋Ｈ方向又は−Ｈ方向に移動させて、フレーム境界６０を＋Ｈ方向又は−Ｈ方向に移動させることにより行う。また、垂直方向のコマ送りは、指をタッチパッド９に接触させた状態で＋Ｖ方向又は−Ｖ方向に移動させて、フレーム境界６０を＋Ｖ方向又は−Ｖ方向に移動させることにより行う。
【００２９】
再生画像の表示倍率の変更を行う場合は、タッチパッド９によって拡大／縮小制御を行い、タッチパッド８によって拡大画像の表示領域の変更を行う。再生画像の拡大／縮小制御時は、撮影時と同様、指をタッチパッド９に接触させた状態で、＋Ｖ方向に移動させるとズームイン操作となり、−Ｖ方向に移動させるとズームアウト操作となる。再生画像を拡大表示させたとき、指をタッチパッド８に接触させた状態で移動させると、拡大画像の表示領域を変更することができる。
【００３０】
このように、タッチパッド８、９の接触位置だけでなく、接触状態での移動情報を利用することにより、多くの操作機能を実現することができる。なお、接触移動に割当てる機能は、デジタルカメラの動作モードによって適宜設定可能である。
【００３１】
図１に示したデジタルカメラは、画像モニタ７の直交する２辺に略平行に２つのタッチパッド８、９を設けたが、タッチパッド８又は９のいずれか一方のみを設けてもよい。また、タッチパッドは直線形状に限らず、任意の形状とすることができる。
【００３２】
図７は、１つのタッチパッド１０を略Ｌ字状に形成し、画像モニタ７の直交する２辺に略平行に設けたものである。タッチパッド１０の領域１１には、図１のタッチパッド８と同様の機能を与え、領域１２には、図１のタッチパッド９と同様の機能を与える。したがって、これまで説明したような制御操作及び入力操作が可能である。
【００３３】
タッチパッド１０の領域１３は、画像モニタ７と直接対応する位置関係にないので、特別な機能を与える。特別な機能の一例は、タッチパッドによる入力の有効状態を制御する機能である。すなわち、タッチパッド１０による操作に際して、領域１３にタッチした後に、タッチ入力を有効とするものである。このような構成とすると、不用意にタッチパッドに触れて、予期しない操作が行われるのを防ぐことができる
【００３４】
特別な機能の他の例は、領域１３のタッチ入力を、予め定めた情報の直接入力と判断するものである。このように構成すると、頻繁に利用される撮影条件等をワンタッチで設定することができる。
【００３５】
（第２の実施の形態）
図８は、第２の実施の形態のデジタルカメラを示したものであり、（ａ）はその背面斜視図であり、（ｂ）は画像モニタ周辺部の概略断面図である。図８のデジタルカメラは、操作者の指等の接触を検出するタッチ検出センサとして接点式スイッチ群８０を備えている。接点式スイッチ群８０は、凸状押圧部８１と複数のスイッチ部材８２を含んで構成される。接点式スイッチ群を構成するスイッチとしてはメンブレンスイッチ等が考えられる。但し、スイッチ部材８２は、領域Ａと領域Ｂ、又はいずれか一方にのみ設けられ、他の部分は凸状押圧部のみを有するダミーである。
【００３６】
接点式スイッチ群８０の領域Ａには、図１のタッチパッド８と同様の機能を与え、領域Ｂには、図１のタッチパッド９と同様の機能を与える。したがって、第１の実施の形態で説明したような制御操作及び入力操作が可能である。このように、スイッチ群８０をタッチ検出センサとして利用すると、タッチパッドに比べて小さいスペースで接触検知が可能となる。また、押圧部を凸状とすることにより、画像モニタ７に近付けて配置しても、指が画像モニタ７の表面に接触することが避けられる。
【００３７】
第１の実施の形態及び第２の実施の形態では、タッチ検出センサとしてタッチパッドを利用するもの、及びスイッチ群を利用するものについて説明したが、特開平１１−１９４８７２号公報にも記載されるように各種接触検知センサが周知であり、それらのセンサを利用することも可能である。
【００３８】
（第３の実施の形態）
第３の実施の形態のデジタルカメラは、タッチ検出センサ９０をデジタルカメラ操作用の傾動型スイッチ９１の傾動部材表面に設けている。傾動型スイッチ９１は、Ｃ方向に傾動操作されるもので、画像撮影時は撮影倍率を制御し、画像再生時は画像の表示倍率を変更するものである。
【００３９】
タッチ検出センサ９０は、接点式スイッチ群等で構成され、画像再生時の表示内容の制御に利用される。すなわち、指をタッチ検出センサ９０に接触させた状態で移動させることにより、複数の撮影画像を連続的にコマ送りするものである。また、再生画像の拡大表示時には、拡大画像の表示領域の変更操作を行うものである。このとき、傾動型スイッチ９１は、再生画像の表示倍率を変更するのに利用されるので、必要な領域の拡大画像を簡単な操作で表示させることができる。
【図面の簡単な説明】
【００４０】
【図１】第１の実施の形態のデジタルカメラの斜視図
【図２】図１のデジタルカメラの概略ブロック構成図
【図３】メニュー選択による設定操作の概略フロー図
【図４】撮影モードに画面表示例を示す図
【図５】項目メニューマーク選択時の画面表示例を示す図
【図６】コマ送り操作時の画面表示例を示す図
【図７】タッチパッドの他の配置例を示す図
【図８】第２の実施の形態のデジタルカメラを示す図
【図９】第３の実施の形態のデジタルカメラを示す図
【符号の説明】
【００４１】
１・・・電源スイッチ
２・・・レンズ
３・・・光学ファインダー
４・・・シャッターボタン
５・・・補助光発光部
６・・・記録メディア挿入部
７・・・画像モニタ
８、９、１０・・・タッチパッド
２１・・・シャッター・絞り
２２・・・撮像デバイス
２３・・・駆動回路
２４・・・アナログ信号処理部
２５・・・Ａ／Ｄ変換部
２６・・・デジタル信号処理部
２７・・・出力用メモリ
２８・・・圧縮伸張処理部
２９・・・ＣＰＵ
３０・・・操作スイッチ
３１・・・シャッタースイッチ
３２・・・メディアインタフェース
３３〜３６・・・項目メニューマーク
３７・・・被選択候補
６０・・・フレーム境界
８０・・・接点式スイッチ群
９０・・・タッチ検出センサ
９１・・・傾動型スイッチ
【図１】
2008236765.tif 000003
【図２】
2008236765.tif 000004
【図３】
2008236765.tif 000005
【図４】
2008236765.tif 000006
【図５】
2008236765.tif 000007
【図６】
2008236765.tif 000008
【図７】
2008236765.tif 000009
【図８】
2008236765.tif 000010
【図９】
2008236765.tif 000011